(57)【要約】【課題】浴室、洗面台、台所、男子用小便器等の排水口用ごみ取りフィルターにおいて、目皿等の上面にただ置くだけで、流水の作用をよってずれたり剥離したりすることなく、毛髪等の細かいごみまで確実に捕捉し、手を直接触れることなくピンセット等で、ごみをフィルターごと一緒に廃棄できる、低コストな使い捨てフィルターの提供を課題とする。【解決手段】通水性に優れ、細かなごみの捕捉性に優れたたとえば目の細かな薄いネットを素材として用いて、装着しようとする目皿等の形状に合わせて形成し、更に吸着性に富むたとえばシリコン系ゴムを素材として用いて、該ネットの周縁部に縁を一体形成したことを特徴とする排水口用ごみ取りフィルターを発明した。【選択図】図１
2005171516.tif 000002
【特許請求の範囲】
【請求項１】
通水性に優れ、且つ毛髪等の細かいごみは通過させにくい性質をもつ、たとえば目の細かな厚さ０．５mm以下の薄いシート状の合成樹脂製ネットや水切り不織布等を素材として用いて、装着しようとする排水口部に設けられている目皿等ごみ流入防止器具の平面形状とほぼ同形にネットを形成し、更に流水等の作用に抗して形成したネットの形状を保ち、且つ目皿等ごみ流入防止器具からの剥離やずれを防止するため、吸着性に富む性質をもつ、たとえばシリコン系ゴムのような素材によって、該ネット周縁部に沿って該ネットと同等以上の厚さと３mm以上の幅をもつ帯状の縁を一体形成したことを特徴とする排水口用毛髪等ごみ取りフィルター。
【請求項２】
通水性に優れ、且つ毛髪等の細かいごみは通過させにくい性質をもつ、たとえば目の細かな厚さ０．５mm以下の薄いシート状の合成樹脂製のネットや水切り不織布等を素材として用い、装着しようとする排水口部に設けられている目皿等ごみ流入防止器具の平面形状とほぼ同形にネットを形成し、更に流水等の作用に抗して形成したネットの形状を保つために、合成樹脂等の素材で該ネットの周縁部に沿って該ネットと同等以上の厚さと０．５mm以上の幅をもつ縁を一体形成したことを特徴とする排水口用毛髪等ごみ取りフィルター。
【請求項３】
上記の請求項１及び請求項２に記載の排水口用毛髪等ごみ取りフィルターに、ピンセットや指先等でつまんだり引っ掛けたりして容易に廃棄できるようにするため、流水の抵抗を極力減じるような形状や素材によって、摘みや取手を設けたことを特徴とする排水口用毛髪等ごみ取りフィルター。
【発明の詳細な説明】
【技術分野】
【０００１】
本発明は、浴室・洗面台・台所の流し台・男子用小便器等の排水口において、毛髪等のごみが排水管内に流入することを防止するため、排水口に装着される毛髪等ごみ取りフィルターに関する。
【背景技術】
【０００２】
一般に浴室・洗面台・台所の流し台・手洗い場・男子用小便器等の排水口部には、毛髪等のごみ等が流入し排水管が詰まるのを防止するために目皿等のごみ流入防止器具が装着されている。しかし、毛髪等の細かいごみは目皿等の孔を通り抜けて配水管に流入し、ひいては排水管詰まりを生じさせるという結果を招く。そこで排水管詰まりを防ぐために、目皿等の孔を通過してしまう毛髪等の微細なごみを捕捉する目的で、目皿等の上面に装着する化学紙や合成樹脂等の素材で形成したフィルターやごみ取り器具等が提供されている。
【０００３】
たとえば浴室洗い場の排水口用ごみ取りフィルターの使い捨て型のものとして、濡れても破れない化学紙を素材として水を逃がすための多数の孔を設け、裏面に粘着剤を塗布したものが提供されている。しかし、化学紙を素材とした該フィルターの主要な欠点は、浴室洗い場の床面が濡れていると粘着材が張り付かないという点にある。たとえば、初めに長い髪の女性が洗髪すると、該フィルターは目詰まりしてしまい、取り替える必要に迫られる。従って、２人、３人と洗髪しようとする場合、２人目以降の者は濡れた浴室洗い場の床面を拭き取らなければならないという苦労があり、確実に粘着させるまでに湿気を除去するのは実際的に不可能と言ってよい。さらに、１人目の洗髪時においても、流水によって剥がれてしまう場合が多く見られ、しかも多数の孔には毛髪等の一部が流入する場合も頻繁に見られ捕捉性が十分とは言い難い。
【０００４】
また浴室排水口用ごみ取りフィルターの長期間使用する型としては、合成樹脂や金網を素材として形成された毛髪等ごみ取り器具が提供されている。しかし、この型の欠点は毛髪等の濡れたごみを手で取り除いたり、ごみ取り器具を掃除したりするという不快感を伴う面倒な作業が必要とされる点にある。濡れた毛髪やごみ等に直接手で触れたりすることには、一般に多くの人間が強い抵抗感や不快感をもつものである。更に、微細な毛髪等のごみの捕捉性も十分とは言えない。
【特許文献１】特開平６−２８０２９１号公報
【特許文献２】特開平６−２８５３０９号公報
【発明の開示】
【発明が解決しようとする課題】
【０００５】
本発明は主として上記の問題点を解消することを目的としてなされたもので、捕捉性に優れ、浴室洗い場の床面や排水口部の目皿が濡れていても、目皿やごみ取り器具の上面にただ置くだけで、流水等の作用によって変形したりずれたり剥離したりすることなく、直接手で触れなくてもたとえばピンセット等で毛髪等ごみをフィルターごと一緒に廃棄でき、更に加えて、洗面台・台所流し台・男子小便器等の排水口部にも装着可能な、低コストで使い捨てができる排水口用毛髪等ごみ取りフィルターを提供しようとするものである。
【課題を解決するための手段】
【０００６】
通水性に優れ、且つ毛髪等の細かいごみは通過させにくい性質をもつ、たとえば目の細かな厚さ０．５mm以下の薄いシート状の合成樹脂製ネットや水切り不織布等を素材として用いて、装着しようとする排水口部に設けられている目皿等ごみ流入防止器具の平面形状とほぼ同形にネットを形成し、更に流水等の作用に抗して形成したネットの形状を保ち、且つ目皿等ごみ流入防止器具からの剥離やずれを防止するため、吸着性に富む性質をもつ、たとえばシリコン系ゴムのような素材によって、該ネット周縁部に沿って該ネットと同等以上の厚さと３mm以上の幅をもつ帯状の縁を一体形成したことを特徴とする排水口用毛髪等ごみ取りフィルターを提供する。
【０００７】
更に、通水性に優れ、且つ毛髪等の細かいごみは通過させにくい性質をもつ、たとえば目の細かな厚さ０．５mm以下の薄いシート状の合成樹脂製のネットや水切り不織布等を素材として用い、装着しようとする排水口部に設けられている目皿等ごみ流入防止器具の平面形状とほぼ同形にネットを形成し、更に流水等の作用に抗して形成したネットの形状を保つために、合成樹脂等の素材で該ネットの周縁部に沿って該ネットと同等以上の厚さと０．５mm以上の幅をもつ縁を一体形成したことを特徴とする排水口用毛髪等ごみ取りフィルターを提供する。
【０００８】
更に、上記の０００６及び０００７に記載の排水口用毛髪等ごみ取りフィルターに、ピンセットや指先等でつまんだり引っ掛けたりして容易に廃棄できるようにするため、流水の抵抗を極力減じるような形状や素材によって、摘みや取手を設けたことを特徴とする排水口用毛髪等ごみ取りフィルターを提供する。
【発明の効果】
【０００９】
浴室洗い場における排水口部の目皿の設置位置が、緩やかな傾斜を成しつつも周囲の床面とほぼ平面をなす位置に設置されている排水口の目皿上に装着されるフィルターは、流水等の作用を大きく受けやすく、該フィルターは剥離したりずれたりしやすい。しかし、本発明の請求項１又は請求項３に記載のフィルターを目皿の上面に置くだけで、目皿の金属部分とフィルターの縁を成すシリコン系ゴム部の面とが密着することにより、流水等の及ぼす作用に対して抗力を生じ、よって剥離したりずれたりすることなく、毛髪等の細かなごみを確実に捕捉することができる。さらに、廃棄する際にはフィルターとごみとを一緒にまるごとピンセット等で摘んで廃棄すればよい。すなわち、不快で面倒な毛髪等のごみ取り作業から解放されるのである。ただ置くだけという非常に簡単な装着で、非常に簡単且つ衛生的に廃棄でき、排水管詰まりの心配も取り除かれ、浴室も衛生的な環境を保つことができる。
【００１０】
排水口部の目皿の位置が、浴室洗い場床面に対して窪んでいたり凹状になっていたりして低い位置に設置されている排水口部の目皿上に装着されるフィルターは、流水等の作用によって剥離したりずれたりすることがほとんどない。よって、本発明の請求項１・請求項３に記載のフィルターは言うまでもなく使用可能であるし、請求項２に記載のフィルターも使用可能である。捕捉性、廃棄作業、衛生管理面においては上記０００９に記載と同様である。
【００１１】
近年、洗面台で洗髪をする人々が増えている。洗面台の排水口部においても、本発明の請求項１・請求項２・請求項３に記載のフィルターは、ごみ取り器具の平面形状に合わせて形成して装着すれば、同様の効果を得ることができる。
【００１２】
台所の流し台の排水口部に本発明の請求項１・請求項２・請求項３に記載のフィルターを装着しても同様の効果を得ることができる。流し台の排水口内部に設けられている、円筒バスケット状のごみかごの中にごみを溜めていると、ヌメリや悪臭を発生して不衛生になり、その後の清掃作業も不快感をともなって煩わしい。特に台所と居間が一体化して作られていたり、流し台が居間と向き合って設けられていたりするような家庭では生ゴミのにおいが気になるものである。それほど流し台の使用頻度が高くない家庭では、本発明のフィルターをゴム菊座等のごみ取り器具の上に装着して、ごみをごみかごの中に通さないようにし、本発明フィルターにて捕捉してこまめにごみを廃棄すれば、ヌメリやにおいの発生を抑えて流し台の清潔さや美しさを保つことができる。
【００１３】
男子用小便器に装着しても、本発明の請求項１・請求項２・請求項３に記載のフィルターは非常に効果的である。一般家庭はもちろん、デパートやホテル、学校等の不特定多数の人々が利用するトイレにおいて特に効果的である。観光地等の公衆トイレや高等学校の男子用小便器は特に汚れがひどい。驚くほど多くの体毛が小便器の目皿に絡みついて、見た目にも不潔で不衛生であり、悪臭の元にもなっている。男子トイレは女子用に比較して清潔面にあまり配慮されていないように思われる。本発明のフィルターを目皿上に装着すれば、長いピンセット状の器具で非常に簡単にフィルターと一緒にまるごと廃棄でき、これまでの不快極まりない清掃作業が軽減されるので掃除しやすくなり、衛生的で清潔なトイレの環境を保つことができる。
【発明を実施するための最良の形態】
【００１４】
本発明の排水口用毛髪等ごみ取りフィルターの最も汎用されると思われる実施形態について、図とともに説明する。図１は、本発明の請求項１に記載したごみ取りフィルターの代表的実施形態を示すものである。（ａ）は該フィルターの平面図であり、（ｂ）はＡ・Ｂ間の断面の模式的な図を示すものである。通水性に優れ、且つ毛髪等の細かなごみを通過させにくい細かい目の薄いシート状の合成樹脂製のネット１を、装着しようとする目皿等ごみ取り器具の平面形状に合わせて形成し、更に該ネットの周縁にシリコン系ゴムによって帯状の縁２を設ける。周縁に設ける縁の厚さは約０．５mmから１mm、幅は約１０mm程度が適切であると思われる。浴室洗い場の床面と排水口部の目皿の設置位置が緩やかな傾斜を成しつつもほぼ平面をなしている浴室排水口の目皿上に装着する場合は、流水等の作用を大きく受けるので、吸着性に優れたシリコン系ゴム等の素材を用いて縁を形成した本形態のフィルターが最も適している。市場に提供されている目皿の形状や大きさに合わせて数種形成して提供したい。尚、実施上、ネットの直径と縁の外周との直径が同一である方が技術的に製作しやすい場合は、そのように構成してもよい。つまり、ネットの円周と縁の外周とが同一に重なるように形成しても、使用上何ら問題はない。図２〜図６においても同様である。
【００１５】
排水口が、周囲の面に対して凹状を成したり窪んだりしている位置に設置されている浴室や洗面台、台所流し台、男子用小便器等、フィルターが剥離したりずれたりしにくい構造となっている排水口上に装着しようとする場合は、請求項１・請求項２・請求項３に記載のフィルターはともに適している。尚、台所流し台のゴム菊等のごみ取り器具上に装着することを目的とする場合は、縁の暑さを２〜３mm程度に形成するとよい。
【実施例】
【００１６】
図２の（ａ）は、浴室において筒型突起状の排水ガイドが排水口周縁部に設けられた排水口構造をもつ目皿に適応する形態をとった、本発明の請求項１、請求項２に記載のフィルターの実施例を示す平面図である。該フィルターを排水口目皿上に装着した状態を示す模式図が（ｂ）である。
【００１７】
図３（ａ）は、浴室において筒型突起状の排水ガイドが目皿の中央に設けられた排水口構造をもつ目皿に適応する形態をとった、本発明の請求項１・請求項２に記載のフィルターの実施例を示す平面図である。ネットに十字形に切り目を設けて排水ガイドを挟み込むようにして装着できるように形成したものである。該フィルターを目皿上面に装着した状態を示す模式図が（ｂ）である。
【００１８】
図４は、その他の形状をもった浴室排水口の目皿に適応する形態をとった、本発明の請求項１、請求項２に記載のフィルターの実施例を示す平面図である。
【００１９】
図５の（ａ）は、洗面台の排水管内部に支軸をもって釣り下げるような型のごみ取り器具に適応する形態をとった、本発明の請求項１、請求項２に記載のフィルターの実施例を示す平面図である。支軸を包むように挟んで装着するように切り目を入れた。該フィルターをごみ取り器具に装着した状態を示す模式図が（ｂ）である。
【００２０】
図６は、請求項３に記載の摘み及び取手を設けたフィルターの実施例を示す斜視図である。
【図面の簡単な説明】
【００２１】
【図１】（ａ）は請求項１・請求項２に記載のフィルターの１実施例を示す平面図であり、（ｂ）は（ａ）のＡ・Ｂ間の断面図である。
【図２】（ａ）は、浴室排水口において、筒型突起状の排水ガイドが排水口周縁部に設けられた排水口構造をもつごみ取り器具に適応するように構成した請求項１・請求項２に記載のフィルターの１実施例を示す平面図であり、（ｂ）は（ａ）を装着した状態を示す模式図である。
【図３】（ａ）は、浴室排水口において、筒型突起状の排水ガイドがごみ取り器具の中央部に設けられた排水口構造をもつごみ取り器具に適応するように構成した請求項１・請求項２に記載のフィルターの１実施例を示す平面図であり、（ｂ）は（ａ）を装着した状態を示す模式図である。
【図４】浴室排水口のごみ取り器具において、その他の形状をもつ目皿等ごみ取り器具に適応するように構成した請求項１・請求項２に記載のフィルターの１実施例を示す平面図である。
【図５】（ａ）は、洗面所台の排水口において、排水管内部に挿入される型のごみ取り器具に適応するように構成した請求項１・請求項２に記載のフィルターの実施例を示す平面図である。（ｂ）は（ａ）を装着した状態を示す模式図である。
【図６】いずれも請求項３に記載の摘み及び取手を設けたフィルターの実施例を示す斜視図である。
【符号の説明】
【００２２】
１  ネット    
２  縁  
３  筒型突起状排水ガイド  
４  切り目
５  摘み及び取手
【図１】
2005171516.tif 000003
【図２】
2005171516.tif 000004
【図３】
2005171516.tif 000005
【図４】
2005171516.tif 000006
【図５】
2005171516.tif 000007
【図６】
2005171516.tif 000008